(57)【要約】【課題】仮置き位置に配置された収納容器を回転させることで容器取付部に取り付ける構成において、全ての接触部で、収納容器が収納容器の径方向の内側から容器取付部に接触している場合と比して、収納容器の容器取付部に対する位置決め精度を向上させることができる収納容器の取付構造、画像形成ユニット、及び画像形成装置を得る。【解決手段】周方向に異なる三箇所以上の位置で収納容器と容器取付部とが収納容器の径方向で接触している接触部の一部では、収納容器が、径方向の内側から容器取付部に接触し、他の一部では、収納容器が、径方向の外側から容器取付部に接触している。【選択図】図２８
2020098278.tif 000002
【特許請求の範囲】
【請求項１】
一方向に延び、粉体を収納する収納容器と、
仮置き位置に配置された前記収納容器を前記収納容器の周方向に回転させることで前記収納容器が取り付けられる容器取付部と、
前記収納容器が前記容器取付部に取り付けられた状態で、前記周方向に異なる三箇所以上の位置で前記収納容器と前記容器取付部とが前記収納容器の径方向で接触している接触部であって、一部では、前記収納容器が、前記径方向の内側から前記容器取付部に接触し、他の一部では、前記収納容器が、前記径方向の外側から前記容器取付部に接触している接触部と、
を備える収納容器の取付構造。
【請求項２】
前記収納容器の容器本体には、収納された粉体を外部へ排出する開口が形成されており、
前記収納容器は、前記容器本体に対して前記周方向に移動して前記開口を開閉する開閉部材を備え、
一箇所の前記接触部は、前記一方向から見て、前記開口と前記周方向で重なっている請求項１に記載の収納容器の取付構造。
【請求項３】
前記周方向で前記開口と重なっている前記接触部では、前記収納容器が、前記径方向の外側から前記容器取付部に接触している請求項２に記載の収納容器の取付構造。
【請求項４】
前記収納容器は、前記一方向に対して交差する交差方向に、外部から前記容器取付部側に移動させることで、前記仮置き位置に配置され、
前記容器取付部には、前記交差方向に延びる交差面が形成されており、
前記収納容器には、前記交差面と面接触して前記収納容器を前記仮置き位置へ案内する案内面と、前記案内面に隣接すると共に一つの前記接触部を構成する接触面とが形成されている請求項１〜３の何れか１項に記載の収納容器の取付構造。
【請求項５】
前記容器取付部には、前記収納容器が前記容器取付部に取り付けられた状態で、前記接触面と接触すると共に前記接触面と一つの前記接触部を構成する他の接触面が、前記交差面と隣接して形成されている請求項４に記載の収納容器の取付構造。
【請求項６】
前記収納容器は、前記収納容器の前記一方向の一方側の部分から、収納された粉体を前記一方向に搬送するための動力が伝達され、
全ての前記接触部は、前記収納容器の一方向の一方側の部分に配置されている請求項１〜５の何れか１項に記載の収納容器の取付構造。
【請求項７】
像保持体に形成された静電潜像を、粉体であるトナーによって現像してトナー画像とする現像部と、
請求項１〜６の何れか１項に記載の収納容器の取付構造によって、前記現像部へ供給される粉体を収納する収納容器が取り付けられる容器取付部と、
を備え、装置本体に対して着脱可能とされる画像形成ユニット。
【請求項８】
装置本体と、
前記装置本体に対して着脱可能とされる請求項７に記載の画像形成ユニットと、
前記画像形成ユニットによって像保持体に形成されたトナー画像が転写される記録媒体を搬送する搬送部と、
を備える画像形成装置。
【請求項９】
静電潜像を保持する像保持体と、
前記像保持体に形成された静電潜像を、粉体であるトナーによって現像してトナー画像とする現像部と、
請求項１〜６の何れか１項に記載の収納容器の取付構造によって、前記現像部へ供給される粉体を収納する収納容器が取り付けられる容器取付部と、
前記像保持体に形成されたトナー画像が転写される記録媒体を搬送する搬送部と、
を備えた画像形成装置。
【発明の詳細な説明】
【技術分野】
【０００１】
本発明は、収納容器の取付構造、画像形成ユニット、及び画像形成装置に関する。
【背景技術】
【０００２】
特許文献１に記載の収納容器は、円筒形状に形成され、回転することにより収納したトナーを口部側に搬送する螺旋搬送部を備えたボトル本体と、ボトル本体の口部に取り付けられ、かつ、周面に補給口と把持部が設けられ、ボトル本体と相対的に回転可能なキャップとを有している。
【先行技術文献】
【特許文献】
【０００３】
【特許文献１】特開２００６−２０８５７４号公報
【発明の概要】
【発明が解決しようとする課題】
【０００４】
一方向に延び、粉体を収容する収納容器がある。この収納容器が容器取付部の仮置き位置に配置され、仮置き位置に配置された収納容器を収納容器の周方向の一方側に回転させることで、収納容器が、容器取付部に取り付けられる。
【０００５】
この収納容器の取付構造では、交差方向に収納容器を容器取付部に移動させて仮置き位置に配置する。そして、仮置き位置に配置された収納容器を収納容器の周方向へ回転させることで、収納容器が、容器取付部に取り付けられる。
【０００６】
このような構成では、収納容器の径方向において収納容器を容器取付部に対して位置決めするため、収納容器と容器取付部とは、収納容器の周方向に位置が異なる三箇所の接触部で接触している。従来、全ての接触部で、収納容器が、収納容器の径方向の内側から容器取付部に接触していた。
【０００７】
本発明の課題は、仮置き位置に配置された収納容器を回転させることで容器取付部に取り付ける構成において、全ての接触部で、収納容器が収納容器の径方向の内側から容器取付部に接触している場合と比して、収納容器の容器取付部に対する位置決め精度を向上させることである。
【課題を解決するための手段】
【０００８】
本発明の第１態様に係る収納容器の取付構造は、一方向に延び、粉体を収納する収納容器と、仮置き位置に配置された前記収納容器を前記収納容器の周方向に回転させることで前記収納容器が取り付けられる容器取付部と、前記収納容器が前記容器取付部に取り付けられた状態で、前記周方向に異なる三箇所以上の位置で前記収納容器と前記容器取付部とが前記収納容器の径方向で接触している接触部であって、一部では、前記収納容器が、前記径方向の内側から前記容器取付部に接触し、他の一部では、前記収納容器が、前記径方向の外側から前記容器取付部に接触している接触部と、を備えることを特徴とする。
【０００９】
本発明の第２態様に係る収納容器の取付構造は、第１態様に記載の収納容器の取付構造において、前記収納容器の容器本体には、収納された粉体を外部へ排出する開口が形成されており、前記収納容器は、前記容器本体に対して前記周方向に移動して前記開口を開閉する開閉部材を備え、一箇所の前記接触部は、前記一方向から見て、前記開口と前記周方向で重なっていることを特徴とする。
【００１０】
本発明の第３態様に係る収納容器の取付構造は、第２態様に記載の収納容器の取付構造において、前記周方向で前記開口と重なっている前記接触部では、前記収納容器が、前記径方向の外側から前記容器取付部に接触していることを特徴とする。
【００１１】
本発明の第４態様に係る収納容器の取付構造は、第１〜第３態様の何れか１態様に記載の収納容器の取付構造において、前記収納容器は、前記一方向に対して交差する交差方向に、外部から前記容器取付部側に移動させることで、前記仮置き位置に配置され、前記容器取付部には、前記交差方向に延びる交差面が形成されており、前記収納容器には、前記交差面と面接触して前記収納容器を前記仮置き位置へ案内する案内面と、前記案内面に隣接すると共に一つの前記接触部を構成する接触面とが形成されていることを特徴とする。
【００１２】
本発明の第５態様に係る収納容器の取付構造は、第４態様に記載の収納容器の取付構造において、前記容器取付部には、前記収納容器が前記容器取付部に取り付けられた状態で、前記接触面と接触すると共に前記接触面と一つの前記接触部を構成する他の接触面が、前記交差面と隣接して形成されていることを特徴とする。
【００１３】
本発明の第６態様に係る収納容器の取付構造は、第１〜第５態様の何れか１態様に記載の収納容器の取付構造において、前記収納容器は、前記収納容器の前記一方向の一方側の部分から、収納された粉体を前記一方向に搬送するための動力が伝達され、全ての前記接触部は、前記収納容器の一方向の一方側の部分に配置されていることを特徴とする。
【００１４】
本発明の第７態様に係る画像形成ユニットは、前記収納容器は、前記収納容器の前記一方向の一方側の部分から、収納された粉体を前記一方向に搬送するための動力が伝達され、全ての前記接触部は、前記収納容器の一方向の一方側の部分に配置されていることを特徴とする。
【００１５】
本発明の第８態様に係る画像形成装置は、装置本体と、前記装置本体に対して着脱可能とされる第７態様に記載の画像形成ユニットと、前記画像形成ユニットによって像保持体に形成されたトナー画像が転写される記録媒体を搬送する搬送部と、を備えることを特徴とする。
【００１６】
本発明の第９態様に係る画像形成装置は、静電潜像を保持する像保持体と、前記像保持体に形成された静電潜像を、粉体であるトナーによって現像してトナー画像とする現像部と、第１態様〜第６態様の何れか１態様に記載の収納容器の取付構造によって、前記現像部へ供給される粉体を収納する収納容器が取り付けられる容器取付部と、前記像保持体に形成されたトナー画像が転写される記録媒体を搬送する搬送部と、を備えたことを特徴とする。
【発明の効果】
【００１７】
本発明の第１態様の収納容器の取付構造によれば、仮置き位置に配置された収納容器を回転させることで容器取付部に取り付ける構成において、全ての接触部で、収納容器が収納容器の径方向の内側から容器取付部に接触している場合と比して、収納容器の容器取付部に対する位置決め精度を向上させることができる。
【００１８】
本発明の第２態様の収納容器の取付構造によれば、全ての接触部が、一方向から見て、開口と周方向で異なる位置に配置されている場合と比して、開口の容器取付部に対する容器径方向の位置精度を向上させることができる。
【００１９】
本発明の第３態様の収納容器の取付構造によれば、周方向で開口と重なっている接触部で、収納容器が収納容器の径方向の内側から容器取付部に接触している場合と比して、開口が容器取付部に対して離れるのを抑制することができる。
【００２０】
本発明の第４態様の収納容器の取付構造によれば、案内面と接触面とが離間している場合と比して、形状を簡素化することができる。
【００２１】
本発明の第５態様の収納容器の取付構造によれば、交差面と他の接触面とが離間している場合と比して、形状を簡素化することができる。
【００２２】
本発明の第６態様の収納容器の取付構造によれば、全ての接触部が、収納容器の一方向の他方側の部分に配置されている場合と比して、動力の伝達経路がずれるのを抑制することができる。
【００２３】
本発明の第７態様の画像形成ユニットによれば、全ての接触部で収納容器が、収納容器の径方向の内側から容器取付部に接触している場合と比して、現像部への粉体の供給不良の発生を抑制することができる。
【００２４】
本発明の第８態様の画像形成装置によれば、全ての接触部で収納容器が、収納容器の径方向の内側から容器取付部に接触している場合と比して、画像形成ユニットを装置本体に対して着脱させるときに、収納容器が容器取付部に対してずれるのを抑制することができる。
【００２５】
本発明の第９態様の画像形成装置によれば、全ての接触部で収納容器が、収納容器の径方向の内側から容器取付部に接触している場合と比して、出力画像の品質不良の発生を抑制することができる。
【図面の簡単な説明】
【００２６】
【図１】本発明の実施形態に係る画像形成装置を示した概略構成図である。
【図２】本発明の実施形態に係る画像形成装置を示した概略構成図である。
【図３】本発明の実施形態に係る画像形成ユニットを示した概略構成図である。
【図４】本発明の実施形態に係る収納容器の取付構造であって、収納容器が取付位置に配置された状態を示した斜視図である。
【図５】本発明の実施形態に係る収納容器の取付構造であって、収納容器が仮置き位置に配置された状態を示した斜視図である。
【図６】本発明の実施形態に係る収納容器の取付構造であって、収納容器が容器取付部から離脱した状態を示した斜視図である。
【図７】本発明の実施形態に係る収納容器の取付構造の容器取付部を示した斜視図である。
【図８】本発明の実施形態に係る収納容器の取付構造に用いられる収納容器を示した拡大斜視図である。
【図９】本発明の実施形態に係る収納容器の取付構造に用いられる収納容器を示した拡大斜視図である。
【図１０】本発明の実施形態に係る収納容器の取付構造に用いられる収納容器を示した拡大斜視図である。
【図１１】本発明の実施形態に係る収納容器の取付構造に用いられる収納容器を示した拡大斜視図である。
【図１２】本発明の実施形態に係る収納容器の取付構造に用いられる収納容器を示した斜視図である。
【図１３】本発明の実施形態に係る収納容器の取付構造に用いられる収納容器を示した斜視図である。
【図１４】（Ａ）’Ｂ）本発明の実施形態に係る収納容器の取付構造に用いられる収納容器に取り付けられた開閉部材を示した斜視図である。
【図１５】本発明の実施形態に係る収納容器の取付構造に用いられる容器取付部を示した拡大斜視図である。
【図１６】本発明の実施形態に係る収納容器の取付構造に用いられる容器取付部を示した拡大斜視図である。
【図１７】本発明の実施形態に係る収納容器の取付構造に用いられる容器取付部を示した拡大斜視図である。
【図１８】本発明の実施形態に係る収納容器の取付構造で、収納容器が仮置き位置に配置された状態を示した断面図である。
【図１９】本発明の実施形態に係る収納容器の取付構造で、収納容器が仮置き位置に配置された状態を示した断面図である。
【図２０】本発明の実施形態に係る収納容器の取付構造で、収納容器が仮置き位置に配置された状態を示した断面図である。
【図２１】本発明の実施形態に係る収納容器の取付構造で、収納容器が仮置き位置に配置された状態を示した断面図である。
【図２２】本発明の実施形態に係る収納容器の取付構造で、収納容器が仮置き位置に配置された状態を示した断面図である。
【図２３】本発明の実施形態に係る収納容器の取付構造で、収納容器が取付位置に配置された状態を示した断面図である。
【図２４】本発明の実施形態に係る収納容器の取付構造で、収納容器が取付位置に配置された状態を示した断面図である。
【図２５】本発明の実施形態に係る収納容器の取付構造で、収納容器が取付位置に配置された状態を示した断面図である。
【図２６】（Ａ）（Ｂ）本発明の実施形態に係る収納容器の取付構造で、収納容器が仮置き位置に配置された状態、及び取付位置に配置された状態を示した断面図である。
【図２７】本発明の実施形態に対する比較形態に係る収納容器の取付構造に用いられる収納容器を示した拡大斜視図である。
【図２８】本発明の実施形態に対する比較形態に係る収納容器の取付構造であって、収納納期が仮置き位置に配置された状態を示した断面図である。
【図２９】本発明の実施形態に対する比較形態に係る収納容器の取付構造であって、収納納期が取付位置に配置された状態を示した断面図である。
【図３０】本発明の実施形態に対する比較形態に係る収納容器の取付構造であって、収納納期が取付位置に配置された状態を示した断面図である。
【発明を実施するための形態】
【００２７】
本発明の実施形態に係る収納容器の取付構造、画像形成ユニット、及び画像形成装置の一例を図１〜図３０に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００２８】
＜画像形成装置の全体構成＞
図１に示されるように、本実施形態に係る画像形成装置１０には、上下方向（矢印Ｈ方向）の下方から上方へ向けて、記録媒体としてのシート部材Ｐが収容される収容部１４と、収容部１４に収容されたシート部材Ｐを搬送する搬送部１６と、収容部１４から搬送部１６によって搬送されるシート部材Ｐに画像形成を行う画像形成部２０とが、この順で備えられている。さらに、画像形成装置１０には、各部材が内部に配置されている装置本体１２が備えられている。
【００２９】
（収容部１４）
収容部１４には、画像形成装置１０の装置本体１２から装置奥行方向の手前側に引き出し可能な収容部材２６が備えられており、この収容部材２６にシート部材Ｐが積載されている。さらに、収容部１４には、収容部材２６に積載されたシート部材Ｐを、搬送部１６を構成する搬送経路２８に送り出す送出ロール３０が備えられている。
【００３０】
（搬送部１６）
搬送部１６には、予め定められた搬送経路２８に沿ってシート部材Ｐを搬送する複数の搬送ロール３２と、シート部材Ｐの表裏を反転させるためにシート部材Ｐが通過する反転経路５４に沿ってシート部材Ｐを搬送する搬送ロール３４とが備えられている。
【００３１】
（装置本体１２）
装置本体１２には、装置本体１２の内部を外部へ開放する開閉ドア５６が備えられている。開閉ドア５６は、装置奥行方向から見てＬ字状とされており、画像形成ユニット１８を上方から覆う天板５６ａと、画像形成ユニット１８を装置幅方向の一方側（図中左側）から覆う側板５６ｂとを備えている。さらに、開閉ドア５６は、側板５６ｂの下方に配置されると共に装置奥行方向に延びる回転軸５６ｃを備えている。
【００３２】
この構成において、回転軸５６ｃを中心に開閉ドア５６を回転させることで、開閉ドア５６は、装置本体１２の内部を閉塞する閉塞位置（図１参照）と、図示せぬストッパーによって回転角度が規制され、装置本体１２の内部を開放する開放位置（図２参照）とに移動するようになっている。
【００３３】
（画像形成部２０）
画像形成部２０には、黒色の画像を形成する画像形成ユニット１８と、像保持体３６と、像保持体３６の表面を帯電させる帯電ロール３８と、帯電した像保持体３６に露光光を照射する露光装置４２とが備えられている。
【００３４】
また、画像形成ユニット１８には、露光装置４２が帯電した像保持体３６を露光して形成された静電潜像を、粉体であるトナーによって現像してトナー画像として可視化する現像装置４０と、現像装置４０へ粉体としてのトナーを供給するための収納容器６０等とが備えられている。現像装置４０は、現像部の一例である。なお、画像形成ユニット１８については、詳細を後述する。
【００３５】
さらに、画像形成部２０には、像保持体３６に形成されたトナー画像を、転写位置Ｔでシート部材Ｐに転写する転写ロール４４と、シート部材Ｐを加熱、加圧してトナー画像をシート部材Ｐに定着する定着装置５０とが備えられている。
【００３６】
この構成において、開閉ドア５６が開放位置（図２参照）に配置された状態で、画像形成ユニット１８は、装置本体１２に対して着脱可能とされている。
【００３７】
＜画像形成装置の作用＞
画像形成装置１０では、次のようにして画像が形成される。
【００３８】
先ず、電圧が印加された帯電ロール３８は、像保持体３６の表面と接触して像保持体３６の表面を予定の電位で一様にマイナス帯電する。続いて、外部から入力されたデータに基づいて露光装置４２は、帯電した像保持体３６の表面に露光光を照射して静電潜像を形成する。
【００３９】
これにより、データに対応した静電潜像が像保持体３６の表面に形成される。さらに、画像形成ユニット１８に備えられた現像装置４０は、この静電潜像を、粉体であるトナーによって現像してトナー画像として可視化する。
【００４０】
そこで、収容部材２６から送出ロール３０によって搬送経路２８へ送り出されたシート部材Ｐは、搬送経路２８を通って転写位置Ｔへ送り出される。転写位置Ｔでは、シート部材Ｐが像保持体３６と転写ロール４４とで挟まれて搬送されることで、像保持体３６の表面のトナー画像は、シート部材Ｐに転写される。
【００４１】
シート部材Ｐに転写されたトナー画像は、定着装置５０によってシート部材Ｐに定着される。そして、トナー画像が定着されたシート部材Ｐは、搬送ロール３２によって装置本体１２の外部へ排出される。
【００４２】
＜要部構成＞
次に、画像形成ユニット１８について説明する。
【００４３】
画像形成ユニット１８は、図３、図４、図６に示されるように、現像装置４０と、現像装置４０へ供給される粉体であるトナーを収納する収納容器６０と、各部材が取り付けられるユニット本体８０とを備えている。また、ユニット本体８０には、収納容器６０が取り付けられる容器取付部８２が形成されている。そして、収納容器６０と容器取付部８２とによって、収納容器の取付構造５２が構成されている。
【００４４】
収納容器６０については、収納容器６０を容器取付部８２の上方から下方（装置奥行方向に対して交差する方向）へ移動させることで、収納容器６０が容器取付部８２に仮置きされる（図５参照）。これにより、収納容器６０は、予め決められた仮置き位置（以下「仮置き位置」）に配置される。さらに、仮置き位置に配置された収納容器６０を、収納容器６０の周方向の一方側（装置奥行方向の手前側から見て反時計方向側：図中矢印Ｆ０１側）へ回転させることで、収納容器６０が、容器取付部８２に取り付けられる（図４参照）。この状態で、収納容器６０は、取付位置に配置される。
【００４５】
なお、収納容器６０の脱着については、画像形成ユニット１８が装置本体１２に装着されている状態でも、画像形成ユニット１８が装置本体１２から離脱されている状態でも可能である。
【００４６】
（現像装置４０）
現像装置４０は、図３に示されるように、粉体であるトナーを像保持体３６に形成された静電潜像に受け渡す現像ロール４６と、現像ロール４６にトナーを供給する供給オーガ４８ａと、トナーを撹拌する撹拌オーガ４８ｂとを備えている。
【００４７】
現像ロール４６は、装置幅方向で像保持体３６と対向している。また、供給オーガ４８ａは、装置幅方向において、現像ロール４６を間に置いて像保持体３６の反対側で、かつ、現像ロール４６に対して下方側に配置されている。さらに、撹拌オーガ４８ｂは、装置幅方向において、供給オーガ４８ａを間に置いて現像ロール４６の反対側で、かつ、供給オーガ４８ａに対して上方側に配置されている。
【００４８】
（収納容器６０）
収納容器６０は、図３に示されるように、現像装置４０に備えられた撹拌オーガ４８ｂの上方側に配置されている。この収納容器６０は、図１２、図１３に示されるように、装置奥行方向（一方向の一例）に延びている。さらに、収納容器６０は、トナーが内部に収納されている収納部６２と、収納部６２の装置奥行方向の手前側（一方側の一例）の部分に取り付けられている蓋部６８とを備えている。そして、収納部６２と蓋部６８とが、容器本体５８の一部を構成している。なお、図１２、図１３には、容器取付部８２の仮置き位置に配置された姿勢の収納容器６０が示されている。
【００４９】
蓋部６８には、トナーを外部に排出するための開口７２ｃ（図８、図９参照）が形成されており、収納容器６０は、開口７２ｃを開閉する開閉部材７８（図９、図１０参照）を備えている。なお、図８、図１０には、容器取付部８２の仮置き位置に配置された姿勢の収納容器６０が示され、図９には、容器取付部８２の取付位置に配置された姿勢の収納容器６０が示されている。
【００５０】
〔収納部６２〕
収納部６２は、樹脂材料を用いて一体的に成形されており、図１２、図１３に示されるように、装置奥行方向に延びるボトル状で、装置奥行方向の手前側の端部に口部６２ａが形成されている。収納部６２の長手方向に直交する断面は、収納容器６０の中心線ＣＬ０１を中心とする円形状とされており、収納部６２の外周面６２ｂには、螺旋状の溝部６４が形成されている。この溝部６４によって、収納部６２の内周面６２ｃには、内周面６２ｃから収納部６２の内部へ突出する螺旋状の突起６６が形成されている。
【００５１】
この構成において、収納部６２の周方向（以下「容器周方向」）へ収納部６２を回転させることで、螺旋状の突起６６によって、収納部６２の内部に収納されたトナーが、装置奥行方向の奥側から手前側へ移動するようになっている。つまり、収納部６２の内部に収納されたトナーが、蓋部６８側へ移動するようになっている。
【００５２】
〔蓋部６８〕
蓋部６８は、樹脂材料を用いて一体的に成形されており、図１２、図１３に示されるように、収納部６２において装置奥行方向の手前側の部分に、収納部６２に対して容器周方向に相対移動可能に取り付けられている。蓋部６８は、中心線ＣＬ０１を軸線とする円筒状の第一円筒部７０と、中心線ＣＬ０１を軸線とする円筒状の第二円筒部７２と、ユーザが把持する把持部７４と、先端部７６とを有している。そして、第一円筒部７０、第二円筒部７２及び先端部７６は、装置奥行方向で並んでおり、把持部７４は、第一円筒部７０及び第二円筒部７２から突出している。
【００５３】
−第一円筒部７０、第二円筒部７２−
第一円筒部７０及び第二円筒部７２は、図８、図１０に示されるように、この順番で装置奥行方向の奥側から手前側に並んでいる。また、第一円筒部７０は、第二円筒部７２と比して大径化されており、第一円筒部７０の内部に、収納部６２の装置奥行方向の手前側の部分が挿入されている。
【００５４】
第二円筒部７２の外周面７２ａにおいて下方側を向いた部分には、図８に示されるように、外周面７２ａから突出する段部７２ｂが形成されている。段部７２ｂは、収納容器６０の径方向（以下「容器径方向」）から見て、装置奥行方向に延び、かつ、装置奥行方向の手前側の部分が、容器周方向の他方側（図中矢印Ｆ０２側）に延びている。また、段部７２ｂは、装置奥行方向から見て、中心線ＣＬ０１を中心とする円弧状とされている。
【００５５】
この段部７２ｂには、装置奥行方向に延びる矩形状の開口７２ｃが形成されており、開口７２ｃによって収納容器６０の内部が外部に開放されるようになっている。そして、この開口７２ｃは、収納容器６０が仮置き位置に配置された姿勢で、下方を向いている。
【００５６】
また、第二円筒部７２には、外周面７２ａの一部を装置奥行方向の手前側へ延長することで形成された延長面７２ｄが形成されている。この延長面７２ｄは、容器周方向において段部７２ｂの他方側で、かつ、後述する把持部７４の一方側に配置されている。
【００５７】
さらに、第二円筒部７２の外周面７２ａには、開口７２ｃを開閉する開閉部材７８（図９参照）を容器周方向に案内する一対のガイド溝９０、９２が形成されており、第一円筒部７０には、開閉部材７８を容器周方向に案内するガイド突起９４が形成されている。
【００５８】
ガイド溝９０は、段部７２ｂにおいて第一円筒部７０側の部分で、容器周方向に延びて形成されており、装置奥行方向の奥側（開口７２ｃに対して反対側）が開放された断面Ｕ字状とされている。このガイド溝９０は、容器周方向に離間しているガイド溝９０ａと、ガイド溝９０ｂとに分けられ、ガイド溝９０ａとガイド溝９０ｂとは、この順番で容器周方向の他方側から一方側（図中矢印Ｆ０１側）へ並んでいる。
【００５９】
ガイド突起９４は、第一円筒部７０において第二円筒部７２側を向いた端面７０ａから、装置奥行方向の手前側に突出している。ガイド突起９４、ガイド溝９０ａ、及びガイド溝９０ｂは、この順番で容器周方向の他方側から一方側へ並んでいる。
【００６０】
ガイド溝９２は、段部７２ｂにおいて第一円筒部７０とは反対側の部分で、容器周方向に延びて形成されており、装置奥行方向の手前側（開口７２ｃに対して反対側）が開放された断面Ｕ字状とされている。このガイド溝９２は、容器周方向において、ガイド溝９０ａ及びガイド溝９０ｂが形成されている範囲に対して、容器周方向の他方側に延びている。
【００６１】
さらに、ガイド溝９２を構成すると共に容器径方向の内側を向いた面は、容器取付部８２に対して収納容器６０の位置を決めるため、容器取付部８２と接触する接触面１０６とされている（詳細は後述）。この接触面１０６は、装置奥行方向から見て、中心線ＣＬ０１を中心とした円弧状とされている。
【００６２】
この構成において、ガイド突起９４、ガイド溝９０ａ、及びガイド溝９０ｂが、開閉部材７８の装置奥行方向の奥側の部分と接触し、ガイド溝９２が、開閉部材７８の装置奥行方向の手前側の部分と接触する。そして、ガイド溝９０、９２、及びガイド突起９４は、開閉部材７８を容器周方向に案内する（図９、図１０参照）。
【００６３】
さらに、第二円筒部７２の外周面７２ａには、図８に示されるように、仮置き位置に配置された収納容器６０の蓋部６８の位置を規制するための規制突起９６が形成されている。規制突起９６は、２個設けられ、段部７２ｂにおいて容器周方向の他方側の部分から、容器周方向の他方側へ突出している。
【００６４】
この構成において、収納容器６０が仮置き位置に配置された状態で、規制突起９６は、開閉部材７８に形成された後述する抑制板１５０と接触して、蓋部６８の容器周方向の他方側への回転を規制するようになっている（図１９参照）。
【００６５】
さらに、第二円筒部７２の外周面７２ａには、図８に示されるように、蓋部６８に対する開閉部材７８の移動を制限するための制限部９８が形成されている。制限部９８は、段部７２ｂにおいて容器周方向の他方側に延びている部分に形成されている。そして、制限部９８は、容器周方向の他方側の部分が自由端とされる片持ち状とされている。さらに、制限部９８の自由端側の部分には、容器径方向の外側が開放された凹部９８ａが形成されている。
【００６６】
この構成において、凹部９８ａは、開閉部材７８に形成された後述する凸部１４０と噛合うことで、開閉部材７８の移動を制限するようになっている（図２１の二点鎖線参照）。換言すれば、開閉部材７８に形成された後述する凸部１４０と噛合うことで、蓋部６８と開閉部材７８との相対移動が制限されるようになっている。
【００６７】
−把持部７４−
把持部７４は、図８、図１０に示されるように、板面が容器周方向を向いた板状とされ、第一円筒部７０及び第二円筒部７２から容器径方向の外側へ突出している。具体的には、把持部７４は、装置奥行方向から見て、第一円筒部７０及び第二円筒部７２を間に置いて、開口７２ｃの反対側から容器径方向の外側へ突出している。
【００６８】
−先端部７６−
先端部７６は、図８、図９、図１０、図１１に示されるように、第二円筒部７２に対して装置奥行方向の手前側（第一円筒部７０とは反対側）に形成されており、先端部７６の装置奥行方向の手前側は、開放された枠状とされている。なお、図１１には、容器取付部８２の仮置き位置に配置された姿勢の収納容器６０が示されている。
【００６９】
先端部７６の外周面７６ａには、容器取付部８２に対して収納容器６０の位置を決めるため、容器取付部８２と接触する接触面１０２、１０４が形成されている。さらに、外周面７６ａには、容器取付部８２の上方から収納容器６０を下方へ移動させて収納容器６０を容器取付部８２の仮置き位置に配置するため、容器取付部８２と接触する案内面１０８と、ユーザが収納容器６０の容器周方向の位置を知るための目印面１１２が形成されている。
【００７０】
接触面１０２は、図８に示されるように、容器周方向において段部７２ｂに対して他方側で、かつ、容器周方向において把持部７４に対して一方側に配置されている。具体的には、先端部７６の外周面７６ａにおいて、段部７２ｂと容器周方向で同様の位置には、第二円筒部７２の外周面７２ａに対して小径化された円弧面１１６が形成されている。さらに、この円弧面１１６に対して容器周方向の他方側には、段差を介し、円弧面１１６に対して大径化された接触面１０２及び補助面１１８が形成されている。接触面１０２と補助面１１８とは、この順番で容器周方向の一方側から他方側へ並んでいる。
【００７１】
この接触面１０２は、容器径方向の外側を向いており、第二円筒部７２の外周面７２ａに対して小径化されており、装置奥行方向から見て、中心線ＣＬ０１を中心とした円弧状とされている。また、補助面１１８は、接触面１０２に対して小径化されている。
【００７２】
接触面１０４は、図９に示されるように、容器周方向において段部７２ｂに対して一方側で、かつ、容器周方向において把持部７４に対して他方側に配置されている。具体的には、円弧面１１６に対して容器周方向の一方側に、段差を介し、円弧面１１６に対して大径化された接触面１０４が形成されている。
【００７３】
この接触面１０４は、容器径方向の外側を向いており、第二円筒部７２の外周面７２ａに対して小径化されており、装置奥行方向から見て、中心線ＣＬ０１を中心とした円弧状とされている。
【００７４】
また、図１８に示されるように、装置奥行方向から見て、接触面１０２の容器周方向の中央部と中心線ＣＬ０１とを繋いだ線分Ｌ０１とし、接触面１０４の容器周方向の中央部と中心線ＣＬ０１とを繋いだ線分Ｌ０２とする。そうすると、線分Ｌ０１と線分Ｌ０２との成す角度Ｒ０１は、１８０〔度〕未満となっている。なお、図１８には、容器取付部８２の仮置き位置に配置された収納容器６０が示されている。
【００７５】
案内面１０８は、図９、図１１に示されるように、容器周方向において段部７２ｂに対して一方側で、かつ、容器周方向において把持部７４に対して他方側に配置されている。具体的には、接触面１０４に対して容器周方向の一方側に、案内面１０８が形成されており、案内面１０８は、接触面１０４と隣接している。そして、案内面１０８は、平面状とされており、収納容器６０が仮置き位置に配置された状態で、装置幅方向の他方側を向いて、上下方向に延びている。
【００７６】
目印面１１２は、図１１に示されるように、容器周方向において案内面１０８に対して一方側で、かつ、容器周方向において補助面１１８に対して他方側に配置されている。具体的には、補助面１１８に対して容器周方向の他方側に、段差を介し、第二円筒部７２の外周面７２ａに対して大径化された目印面１１２が形成されている。
【００７７】
さらに  目印面１１２は、装置奥行方向から見て、中心線ＣＬ０１を中心とした円弧状とされている。また、この目印面１１２には、装置奥行方向の手前側に頂点を向けた三角状の目印１１２ａが形成されている。
【００７８】
〔開閉部材７８〕
開閉部材７８は、蓋部６８に対して容器周方向へ移動可能に取り付けられており、蓋部６８に形成された開口７２ｃを開放する開放位置（図９参照）と、開口７２ｃを閉塞する閉塞位置（図１０参照）とに、蓋部６８に対して相対移動するようになっている。
【００７９】
開閉部材７８は、図１０に示されるように、蓋部６８の第二円筒部７２の外周面７２ａに取り付けられており、容器径方向の外側から見て、容器周方向に延びる矩形状とされている。
【００８０】
この開閉部材７８は、外周面７２ａに対して容器径方向で離間して外周面７２ａに沿っている湾曲板１２０と、湾曲板１２０の第一円筒部７０側の縁部から外周面７２ａ側に突出して容器周方向に延びる側板１３０とを有している。さらに、開閉部材７８は、湾曲板１２０の第一円筒部７０側とは反対側の縁部から外周面７２ａ側に突出して容器周方向に延びる側板１３４と、湾曲板１２０において容器周方向の他方側の縁部から外周面７２ａ側に突出して装置奥行方向に延びる側板１３８とを有している。そして、容器径方向の外側から見て、側板１３０、１３４、１３８は、Ｕ字状とされている。側板１３８は縁部の一例である。
【００８１】
−側板１３０−  
側板１３０の先端側の部分には、図１４（Ｂ）に示されるように、側板１３４側に突出して、容器周方向に延びる突出部１３０ａが形成されている。この突出部１３０ａが、図８に示すガイド溝９０ａ、９０ｂに挿入されるようになっている。また、側板１３０の外側面１３０ｂは、図８に示すガイド突起９４に接触するようになっている。
【００８２】
−側板１３４−
側板１３４の先端側の部分には、図１４（Ｂ）に示されるように、側板１３０側に突出して、容器周方向に延びる突出部１３４ａが形成されている。この突出部１３４ａが、図８に示すガイド溝９２に挿入されるようになっている。
【００８３】
この構成において、開閉部材７８は、蓋部６８に取り付けられた状態で、第二円筒部７２の外周面７２ａに沿って、蓋部６８に対して容器周方向に相対移動するようになっている。
【００８４】
−湾曲板１２０−
湾曲板１２０の内周面１２０ａには、図１４（Ｂ）に示されるように、第二円筒部７２に形成された制限部９８の凹部９８ａ（図８参照）と噛合う凸部１４０と、湾曲板１２０を貫通する貫通孔１４２とが形成されている。さらに、湾曲板１２０には、内周面１２０ａから突出する板状のリブ１４４と、内周面１２０ａから突出すると共に粉体であるトナーの移動を抑制する抑制板１５０を有する突出部１４６が形成されている。
【００８５】
また、湾曲板１２０の外周面１２０ｂには、図１４（Ａ）に示されるように、外周面１２０ｂから突出する一対の規制突起１５２が形成されている。規制突起１５２は、係合部の一例である。
【００８６】
また、開閉部材７８が閉塞位置に配置された状態で、湾曲板１２０の内周面１２０ａにおいて、蓋部６８の開口７２ｃ（図８参照）と対向する部分を、対向部分１２２とする。そうすると、図１４（Ｂ）に示されるように、突出部１４６、リブ１４４、貫通孔１４２、及び凸部１４０は、対向部分１２２に対して、容器周方向の他方側に配置されている。
【００８７】
そして、突出部１４６、リブ１４４、貫通孔１４２、及び凸部１４０は、この順番で、装置奥行方向の奥側から手前側へ並んでいる。換言すれば、突出部１４６、リブ１４４、貫通孔１４２、及び凸部１４０は、この順番で、収納部６２（図１２参照）から遠ざかっている。つまり、突出部１４６が、突出部１４６、リブ１４４、貫通孔１４２、及び凸部１４０の中で、最も収納部６２に近い位置に配置されている。
【００８８】
凸部１４０は、湾曲板１２０の内周面１２０ａにおいて装置奥行方向の手前側の部分に配置されている。そして、凸部１４０は、図２１の二点鎖線に示されるように、開閉部材７８が閉塞位置に配置された状態で、制限部９８の凹部９８ａと噛合うようになっている。このように、凸部１４０と制限部９８の凹部９８ａとが噛合うことで、蓋部６８に対する開閉部材７８の容器周方向の他方側への移動が制限される。換言すれば、凸部１４０と制限部９８の凹部９８ａとが噛合うことで、開閉部材７８に対する蓋部６８の容器周方向の一方側への移動が制限される。さらに換言すれば、凸部１４０と制限部９８の凹部９８ａとが噛合うことで、開閉部材７８と蓋部６８との容器周方向の相対移動が制限される。
【００８９】
貫通孔１４２は、図１４（Ｂ）に示されるように、容器径方向の外側から見て、容器周方向に延びる矩形状とされている。
【００９０】
この構成において、図２０の二点鎖線及び実線に示されるように、開閉部材７８の外部からこの貫通孔１４２を通して、制限部９８を第二円筒部７２の外周面７２ａ側に押し上げることで制限部９８が弾性変形する。そして、図２１の実線に示されるように、凸部１４０と制限部９８の凹部９８ａとの噛合いが解除されるようになっている。
【００９１】
また、リブ１４４は、図１４（Ｂ）に示されるように、貫通孔１４２において突出部１４６側の縁部から突出しており、板面が装置奥行方向を向く板状とされている。リブ１４４は、抑制壁の一例である。
【００９２】
突出部１４６は、図１４（Ｂ）に示されるように、装置奥行方向においてリブ１４４を間に置いて貫通孔１４２の反対側に配置されており、容器径方向の内側から見て、容器周方向に延びる矩形状とされている。
【００９３】
また、湾曲板１２０の外周面１２０ｂにおいて突出部１４６と対応する部分には、図１４（Ａ）に示されるように、凹部１４８が形成されている。つまり、突出部１４６は、容器径方向の外側が開放された箱状とされている。
【００９４】
そして、突出部１４６の容器周方向の一方側の部分は、図１４（Ｂ）に示されるように、板面が容器周方向を向いた抑制板１５０によって形成されており、この抑制板１５０は、貫通孔１４２に対して、容器周方向の一方側（対向部分１２２側）に配置されている。
【００９５】
この構成において、開閉部材７８が閉塞位置に配置された状態で、抑制板１５０は、図１９に示されるように、容器周方向で、蓋部６８に形成された規制突起９６と接触している。このように、抑制板１５０と規制突起９６とが容器周方向で接触することで、蓋部６８に対する開閉部材７８の容器周方向の一方側への移動が規制される。換言すれば、抑制板１５０と規制突起９６とが容器周方向で接触することで、開閉部材７８に対する蓋部６８の容器周方向の他方側への移動が規制される。さらに換言すれば、抑制板１５０と規制突起９６とが容器周方向で接触することで、開閉部材７８と蓋部６８との容器周方向の相対移動が規制される。
【００９６】
また、規制突起１５２は、２個設けられ、図１４（Ａ）に示されるように、湾曲板１２０の外周面１２０ｂにおいて容器周方向の一方側の端部部分から容器径方向に突出している。換言すれば、中心線ＣＬ０１から規制突起１５２の先端までの距離は、中心線ＣＬ０１から外周面１２０ｂまでの距離と比して長くされている。
【００９７】
具体的には、規制突起１５２は、収納容器６０が容器取付部８２から取り外されている状態で、把持部７４が突出する方向とは反対方向に突出している。さらに、規制突起１５２は、収納容器６０が仮置き位置に配置された状態で、図１９に示されるように、装置奥行方向から見て、下方（収納容器６０の移動方向）に突出している。
【００９８】
そして、２個の規制突起１５２は、図１４に示されるように、装置奥行方向において対向部分１２２の一方側、及び他方側に配置されている。
【００９９】
−その他−
図８に示されるように、蓋部６８の先端部７６は、前述したように、装置奥行の手前側に開放されている。この先端部７６の内部には、収納容器６０の収納部６２を容器周方向へ回転させる回転力を、収納部６２へ伝達するための伝達部８８が配置されている。なお、蓋部６８には、伝達部８８と先端部７６との隙間からトナーが外部に漏れるのを防止するための図示せぬシール部材が設けられている。
【０１００】
この構成において、この伝達部８８を介して回転力を収納部６２へ伝達することで、収納部６２が、蓋部６８を回転させることなく、容器周方向へ回転するようになっている。
【０１０１】
（容器取付部８２）
容器取付部８２は、図７に示されるように、画像形成ユニット１８のユニット本体８０に形成されている。容器取付部８２は、装置奥行方向に延びており、上方か開放されたＵ字状とされている。そして、容器取付部８２には、収納容器６０の蓋部６８（図６参照）を下方から支持する第一支持部８４と、長手方向に直交する断面が円弧状で、収納容器６０の収納部６２を下方から支持する第二支持部８６とが形成されている。この第一支持部８４と第二支持部８６は、この順番で装置奥行方向の手前側から奥側へ並んでいる。
【０１０２】
第一支持部８４には、図１５に示されるように、円弧状の円弧面８４ｂ、８４ｄと、円弧面８４ａ、８４ｂ、８４ｄの装置奥行方向の手前側に配置され、装置奥行方向の奥側を向く奥側面８４ｃとが形成されている。
【０１０３】
円弧面８４ａと円弧面８４ｂとは、この順番で、容器周方向の他方側から一方側へ並んでいる。そして、円弧面８４ｄは、装置奥行方向において、円弧面８４ａ、８４ｂを間に置いて奥側面８４ｃの反対側に配置されており、蓋部６８の第一円筒部７０の外周面７０ｂ（図８参照）と接触して、蓋部６８を下方から支持するようになっている。
【０１０４】
また、円弧面８４ｂには、収納容器６０からトナーを受け入れるための開口２０２が形成されている。この開口２０２は、容器径方向の内側から見て、装置奥行方向に延びる矩形状とされている。
【０１０５】
さらに、図１７に示されるように、第一支持部８４には、収納容器６０が仮置き位置に配置された状態で、収納容器６０の開閉部材７８に形成された凹部１４８（図１４（Ａ）参照）に入り込み、開閉部材７８の移動を防止する防止部１６０が形成されている。また、第一支持部８４には、収納容器６０が仮置き位置に配置された状態で、凸部１４０と制限部９８との噛合い（図２１参照）を解除する解除突起１６２が形成されている。解除突起１６２は、解除部の一例である。
【０１０６】
さらに、第一支持部８４には、収納容器６０が仮置き位置に配置された状態で、開閉部材７８に形成された規制突起１５２（図１４（Ａ）参照）が入り込む凹部１６６が形成されている。また、第一支持部８４は、容器取付部８２に取り付けられた収納容器６０を、容器取付部８２に位置決めする位置決め機構１７０と、収納容器６０からトナーを受け入れるための開口２０２を開閉する開閉部材１７４を有している（図１５、図１６参照）。
【０１０７】
〔防止部１６０〕
防止部１６０は、図１７に示されるように、円弧面８４ａから上方へ突出しており、装置奥行方向から見て、台形状とされている。
【０１０８】
この構成において、防止部１６０は、図１９に示されるように、収納容器６０が仮置き位置に配置された状態で、開閉部材７８に形成された凹部１４８に入り込む。そして、防止部１６０が、容器周方向で凹部１４８を構成する抑制板１５０と接触することで、開閉部材７８及び蓋部６８の容器周方向の他方側への移動が防止されるようになっている。
【０１０９】
〔解除突起１６２〕
解除突起１６２は、図１７に示されるように、円弧面８４ａから上方へ突出しており、防止部１６０に対して、装置奥行方向の手前側に配置されている。この解除突起１６２は、装置奥行方向から見て、三角形状とされている。
【０１１０】
この構成において、解除突起１６２は、図２０に示されるように、収納容器６０が仮置き位置に配置された状態で、開閉部材７８に形成された貫通孔１４２に入り込む。そして、解除突起１６２は、蓋部６８の制限部９８を押し上げる。これにより、図２１の実線に示されるように、開閉部材７８に形成された凸部１４０と制限部９８の凹部９８ａとの噛合いが解除されるようになっている。
【０１１１】
〔凹部１６６〕
凹部１６６は、図１５に示されるように、容器周方向において、円弧面８４ａと円弧面８６ｂとの間に形成されており、装置奥行方向に延びている。この凹部１６６は、上方が開放された断面Ｕ字状とされている。さらに、凹部１６６を構成すると共に容器周方向の他方側を向いた壁面１６６ａには、図２０に示されるように、板状のスポンジ材１６８が貼り付けられている。収納容器６０が仮置き位置に配置された状態で、スポンジ材１６８は、開閉部材７８に形成された規制突起１５２と容器周方向で離間している。なお、スポンジ材１６８については、図面への記載を省略することがある。
【０１１２】
この構成において、収納容器６０が仮置き位置に配置された状態で、凹部１６６を構成する壁面１６６ａは、図２０に示されるように、開閉部材７８の容器周方向の一方側の端面７８ａと対向している。そして、凹部１６６の壁面１６６ａと開閉部材７８の端面７８ａとの間に、スポンジ材１６８が挟まれている。換言すれば、収納容器６０が仮置き位置に配置された状態で、壁面１６６ａ及びスポンジ材１６８によって、開閉部材７８の容器周方向の一方側への回転が阻止されている。
【０１１３】
このように、壁面１６６ａ及びスポンジ材１６８によって、収納容器６０が仮置き位置に配置された状態で、開閉部材７８の容器周方向の一方側への回転を阻止する阻止部１２４が構成されている。
【０１１４】
また、詳細は後述するが、仮置き位置に対してずれた位置に配置された収納容器６０を容器周方向の一方側へ回転させると、図２８に示されるように、開閉部材７８の規制突起１５２が、壁面１６６ａに取り付けられているスポンジ材１６８を押す。そして、凹部１６６の壁面１６６ａ、及びスポンジ材１６８は、開閉部材７８の容器周方向の一方側への移動を規制する。
【０１１５】
このように、壁面１６６ａ及びスポンジ材１６８によって、収納容器６０が仮置き位置に対してずれた位置に配置された状態で、収納容器６０を容器周方向の一方側へ回転させると、規制突起１５２と係合する被係合部１５４が構成されている。このように、規制突起１５２は、容器周方向の一方側へ回転を規制する回転規制手段として機能している。
【０１１６】
また、規制突起１５２は、前述したように、装置奥行方向において対向部分１２２の一方側、及び他方側に配置されている。このため、規制突起が１個だけ形成されている場合と比して、規制突起１５２が、壁面１６６ａに取り付けられているスポンジ材１６８を押すときに、開閉部材７８が容器周方向に対して傾いてしまうのが抑制される。なお、開閉部材７８の容器周方向に対する傾きを抑制する観点から、２個の規制突起１５２のピッチが長い方が好ましい。つまり、規制突起１５２が開閉部材７８の装置奥行方向の端部に形勢されているのが最も好ましい。
【０１１７】
〔位置決め機構１７０〕
位置決め機構１７０は、図１６に示されるように、装置奥行方向において、円弧面８４ａと奥側面８４ｃとの間に配置され、装置奥行方向に対して交差する方向（装置上下方向）に延びる交差面１８０を有している。蓋部６８の案内面１０８（図１１参照）をこの交差面１８０に接触させることで、収納容器６０が仮置き位置に配置されるようになっている。また、位置決め機構１７０は、装置奥行方向において、円弧面８４ａと奥側面８４ｃとの間に配置され、収納容器６０が取付位置に配置された状態で、蓋部６８の接触面１０４（図９参照）と接触する接触面１８２を有している。
【０１１８】
さらに、位置決め機構１７０は、図１７に示されるように、装置奥行方向において、円弧面８４ａと奥側面８４ｃとの間に配置され、収納容器６０が取付位置に配置された状態で、蓋部６８の接触面１０２（図１０参照）と接触する接触面１８６を有している。
【０１１９】
また、位置決め機構１７０は、図１５に示されるように、円弧面８４ｂの装置奥行方向の奥側の部分に配置され、収納容器６０が取付位置に配置された状態で、蓋部６８の接触面１０６（図８参照）と接触する接触面１９６を有している。
【０１２０】
−交差面１８０、接触面１８２−
交差面１８０と接触面１８２とは、図１６に示されるように、中心線ＣＬ０１に対して装置幅方向の他方側に配置されており、この順番で上方から下方へ並んで隣接している。
【０１２１】
交差面１８０は、平面状とされ、装置奥行方向に対して交差する交差方向である装置上下方向に延びている。そして、交差面１８０は、装置幅方向の一方側を向いている。また、交差面１８０は、交差面１８０が向いている方向から見て、装置上下方向に延びる矩形状とされている。接触面１８２は、装置奥行方向から見て、中心線ＣＬ０１を中心とした円弧状とされ、容器径方向の内側を向いている。
【０１２２】
この構成において、図１８に示されるように、案内面１０８と交差面１８０とを接触させた状態で収納容器６０を移動させることで、収納容器６０は、装置上下方向へ移動する。そして、装置下方向へ収納容器６０を移動させることで、収納容器６０が仮置き位置に配置されるようになっている。
【０１２３】
また、仮置き位置に配置された収納容器６０を容器周方向の一方側へ回転させて取付位置に配置することで、図２３に示されるように、蓋部６８の接触面１０４は、容器取付部８２の接触面１８２と接触するようになっている。具体的には、蓋部６８の接触面１０４は、接触面１８２に対して容器径方向の内側（中心線ＣＬ０１側）から接触面１８２に面で接触（面接触）するようになっている。
【０１２４】
このように、接触面１０４と接触面１８２とで、収納容器６０が容器径方向の内側から容器取付部８２に接触する接触部１８４が構成されている。つまり、接触部１８４は、収納容器６０が容器取付部８２側へ移動するのを規制する移動規制手段として機能している。
【０１２５】
−接触面１８６等−
接触面１８６は、図１７に示されるように、中心線ＣＬ０１に対して装置幅方向の一方側に配置されている。接触面１８６は、装置奥行方向から見て、中心線ＣＬ０１を中心とした円弧状とされ、容器径方向の内側を向いている。
【０１２６】
また、接触面１８６に対して容器周方向の他方側には、接触面１８６に対して大径化された領域に配置された湾曲状の補助面１８８が形成されている。
【０１２７】
この構成において、図１８に示されるように、収納容器６０が仮置き位置に配置された状態で、蓋部６８の接触面１０２と補助面１８８とは、容器径方向で離間している。また、仮置き位置に配置された収納容器６０を容器周方向の一方側へ回転させて取付位置に配置することで、図２３に示されるように、蓋部６８の接触面１０２は、容器取付部８２の接触面１８６と接触するようになっている。具体的には、蓋部６８の接触面１０２は、接触面１８６に対して容器径方向の内側（中心線ＣＬ０１側）から接触面１８６に面で接触（面接触）するようになっている。
【０１２８】
このように、接触面１０２と接触面１８６とで、収納容器６０が容器径方向の内側から容器取付部８２に接触する接触部１９２が構成されている。つまり、接触部１９２は、収納容器６０が容器取付部８２側へ移動するのを規制する移動規制手段として機能している。
【０１２９】
−接触面１９６−
接触面１９６は、円弧面８４ｂにおいて装置奥行方向の手前側の部分に形成され、図１５に示されるように、容器周方向において、接触面１８６に対して一方側で、かつ、接触面１８２に対して他方側に配置されている。この接触面１９６は、装置奥行方向から見て、中心線ＣＬ０１を中心とした円弧状とされ、容器径方向の外側を向いている。
この構成において、図２２に示されるように、収納容器６０が仮置き位置に配置された状態で、蓋部６８の接触面１０６と、容器取付部８２の接触面１９６とは、容器周方向で離間している。また、仮置き位置に配置された収納容器６０を容器周方向の一方側へ回転させて取付位置に配置することで、図２４に示されるように、蓋部６８の接触面１０６が、後述するガイド溝２０４（図１５参照）に挿入される。そして、蓋部６８の接触面１０６は、容器取付部８２の接触面１９６と接触するようになっている。具体的には、蓋部６８の接触面１０６は、接触面１９６に対して容器径方向の外側から接触面１９６に面で接触（面接触）するようになっている。
【０１３０】
このように、接触面１０６と接触面１９６とで、収納容器６０が容器径方向の外側から容器取付部８２に接触する接触部１９８が構成されている。つまり、接触部１９８は、収納容器６０が容器取付部８２から離れる側へ移動するのを規制する移動規制手段として機能している。
【０１３１】
以上説明したように、収納容器６０が取付位置に配置された状態で、収納容器６０と容器取付部８２とは、容器周方向に異なる三箇所の接触部１８４、１９２、１９８で、容器径方向に接触している。これにより、容器径方向において、収納容器６０が容器取付部８２に対して位置決めされるようになっている。ここで、収納容器６０の容器取付部８２に対する位置決め機能を向上させる観点から、装置奥行方向から見た接触部１８４と接触部１９８との中心角、及び接触部１９２と接触部１９８との中心角は、大きい方が好ましい。具体的には、夫々５０〔度〕以上が好ましく、６０〔度〕以上がさらに好ましく、７０〔度〕以上が特に好ましい。なお、本実施形態では、夫々７０〔度〕以上となっている。
【０１３２】
また、収納容器６０の収納部６２を容器周方向へ回転させる回転力を、収納部６２へ伝達するための伝達部８８が、前述したように、収納容器６０の装置奥行方向の手前側の部分に配置されている（図８参照）。そして、全ての接触部１８４、１９２、１９８は、収納容器６０の装置奥行方向の手前側の部分に形成されている。換言すると、全ての接触部１８４、１９２、１９８は、収納容器６０において伝達部８８が配置されている側に形成されている。
【０１３３】
ここで、収納容器６０の装置奥行方向の手前側の部分とは、収納容器６０の装置奥行方向の長さを１００とすると、収納容器６０の装置奥行方向の手前側の端部から３０の範囲内である。なお、収納容器６０の装置奥行方向の手前側の部分から回転力が伝達されることから、回転力の伝達経路のずれを抑制するために、全ての接触部１８４、１９２、１９８が、収納容器６０の装置奥行方向の長さを１００とすると、収納容器６０の装置奥行方向の手前側の端部から２０の範囲内に配置されることが好ましく、端部から１５の範囲内がより好ましく、端部から１０の範囲内が特に好ましい。
【０１３４】
−その他−
奥側面８４ｃには、図１５に示されるように、中心線ＣＬ０１を中心とする円孔２１０が形成されている。そして、容器取付部８２は、この円孔２１０から、取付位置に配置された収納容器６０側へ突出し、収納容器６０の伝達部８８（図８参照）へ回転力を伝達する伝達部２１２を備えている。
【０１３５】
この構成において、仮置き位置に配置された収納容器６０を容器周方向の一方側へ回転させて取付位置に配置することで、図示せぬ機械構造が稼動して、伝達部２１２が円孔２１０から突出する。そして、伝達部２１２が、収納容器６０の伝達部８８と噛合う。これにより、図示せぬモータによって回転する伝達部２１２が回転力を伝達部８８に伝達するようになっている。一方、取付位置に配置された収納容器６０を容器周方向の他方側へ回転させて仮置き位置に配置することで、伝達部２１２が円孔２１０から非突出状態となる。
【０１３６】
また、容器取付部８２は、図１７に示されるように、取付位置に配置された収納容器６０を保持する保持部２１６を有している。保持部２１６は、装置奥行方向において円弧面８４ａの装置奥行方向の手前側で、かつ、装置幅方向で中心線ＣＬ０１の一方側に配置され、上下方向に延びている。そして、保持部２１６は、上端が自由端とされる片持ち状とされ、保持部２１６の上端側の部分には、中心線ＣＬ０１側に突出する突起２１６ａが形成されている。
【０１３７】
この構成において、収納容器６０を仮置き位置に配置すると、図２６（Ａ）に示されるように、蓋部６８の延長面７２ｄが、保持部２１６の突起２１６ａと接触し、保持部２１６は基端部を中心に撓み弾性変形する。さらに、仮置き位置に配置された収納容器６０を容器周方向の一方側へ回転させて取付位置に配置することで、図２６（Ｂ）に示されるように、突起２１６ａと延長面７２ｄとが容器周方向で離間し、保持部２１６が弾性復帰する。この状態で、保持部２１６の突起２１６ａが、蓋部６８の延長面７２ｄが形成されている部分を上方側から覆うことで、保持部２１６が、取付位置に配置された収納容器６０を保持するようになっている。なお、保持部２１６が弾性変形している状態では、収納容器６０には、容器取付部８２から離れる方向の力が作用する。
【０１３８】
また、容器取付部８２には、図１７に示されるように、奥側面８４ｃの上方側の縁部から装置奥行方向の手前側に延びる目印面１７２が形成されている。目印面１７２は、容器径方向の外側を向く円弧面とされている。さらに、この目印面１７２には、装置奥行方向の奥側に頂点を向けた三角状の目印１７２ａ、１７２ｂが形成されている。目印１７２ａと目印１７２ｂとは容器周方向に離間しており、容器周方向の他方側から一方側にこの順番で並んでいる。
【０１３９】
この構成において、収納容器６０が仮置き位置に配置された状態で、図５に示されるように、収納容器６０の目印１１２ａと、容器取付部８２の目印１７２ａとが装置奥行方向で対向するようになっている。一方、収納容器６０が取付位置に配置された状態で、図４に示されるように、収納容器６０の目印１１２ａと、容器取付部８２の目印１７２ｂとが装置奥行方向で対向するようになっている。
【０１４０】
（開閉部材１７４等）
開閉部材１７４は、円弧面８４ｂに取り付けられており、図１５に示されるように、円弧面８４ｂに形成された開口２０２を開放する開放位置と、開口２０２を閉塞する閉塞位置（図１６参照）とに移動するようになっている。この開閉部材１７４は、円弧面８４ｂに沿った円弧状の板材であって、容器径方向の内側から見て、装置周方向に延びる矩形状とされている。
【０１４１】
さらに、円弧面８４ｂには、開閉部材１７４を容器周方向に案内する一対のガイド溝２０４、２０６が装置奥行方向に離間して形成されている。
【０１４２】
ガイド溝２０４は、円弧面８４ｂにおいて奥側面８４ｃ側の部分で、容器周方向に延びて形成されており、装置奥行方向の奥側（開口２０２側）が開放された断面Ｕ字状とされている。そして、ガイド溝２０４は、容器径方向の外側を向く前述した接触面１９６を含んで形成されている。
【０１４３】
ガイド溝２０６は、装置奥行方向において開口２０２を間に置いてガイド溝２０４の反対側で、容器周方向に延びて形成されており、装置奥行方向の手前側（開口２０２側）が開放された断面Ｕ字状とされている。
【０１４４】
そして、開閉部材１７４の装置奥行方向の手前側の縁部が、ガイド溝２０４に挿入され、開閉部材１７４の装置奥行方向の奥側の縁部が、ガイド溝２０６に挿入されるようになっている。
【０１４５】
この構成において、図１９に示されるように、開閉部材１７４が閉塞位置に配置され、かつ、収納容器６０が仮置き位置に配置された状態で、収納容器６０を容器周方向の一方側へ回転させて取付位置へ移動させる。そうすると、図２５に示されるように、蓋部６８に形成された段部７２ｂの端面によって開閉部材１７４が容器周方向の一方側へ押され、閉塞位置から開放位置へ移動するようになっている。
【０１４６】
一方、取付位置に配置された収納容器６０を容器周方向の他方側へ回転させて仮置き位置へ移動させると、蓋部６８に形成された図示せぬ突起によって開閉部材１７４が容器周方向の他方側へ押され、開放位置から閉塞位置へ移動するようになっている。
【０１４７】
＜要部構成の作用＞
次に、要部構成の作用について説明する。先ず、比較形態に係る収納容器の取付構造５５２について、本実施形態に係る収納容器の取付構造５２と異なる部分を主に説明する。また、収納容器の取付構造５５２の作用についても、本実施形態に係る収納容器の取付構造５２と異なる部分を主に説明する。
【０１４８】
（収納容器の取付構造５５２）
収納容器の取付構造５５２に備えられた収納容器５６０における蓋部５６８の先端部５７６には、図２７、図２８に示されるように、容器取付部５８２に対する収納容器５６０の位置を決めるため、容器取付部５８２と接触する接触面５０２が形成されている。
【０１４９】
接触面５０２は、容器周方向において接触面１０４に対して他方側で、かつ、容器周方向において接触面１０２に対して一方側に配置されている。また、接触面５０２は、円弧面１１６から容器径方向の外側へ突出し、容器径方向の外側を向いている。さらに、この接触面５０２は、第二円筒部７２の外周面７２ａに対して小径化されており、装置奥行方向から見て、中心線ＣＬ０１を中心とした円弧状とされている。また、容器取付部５８２には、図２９に示されるように、収納容器５６０が取付位置に配置された状態で、蓋部５６８の接触面５０２と面接触する接触面５８４が形成されている。この接触面５８４は、装置奥行方向から見て、中心線ＣＬ０１を中心とした円弧状とされている。
【０１５０】
さらに、収納容器５６０が取付位置に配置された状態で、図３０に示されるように、容器取付部５８２の接触面５９６は、蓋部５６８の接触面１０６に対して容器径方向の内側に配置されている。つまり、蓋部５６８の接触面１０６と容器取付部５８２の接触面５９６とは、容器径方向で離間している。
【０１５１】
このように、収納容器の取付構造５５２では、容器取付部５８２に対する収納容器５６０の位置を決めるため、全ての接触部で収納容器５６０が、容器径方向の内側から容器取付部５８２に接触している。
【０１５２】
（収納容器の取付構造５２、５５２の作用）
収納容器６０を、ユニット本体８０に形成された容器取付部８２に取り付ける場合には、図６に示させるように、収納容器６０の把持部７４の先端が上方側を向くようにする。なお、収納容器６０が容器取付部８２から取り外されている状態で、開閉部材７８、１７４は、閉塞位置に配置されている（図１０、図１６参照）。また、開閉部材７８に形成された凸部１４０と制限部９８の凹部９８ａとが噛合っている（図２１の二点鎖線参照）。
【０１５３】
そして、図５、図６に示されるように、この姿勢を維持した状態で、収納容器６０をユニット本体８０の上方から下方（装置奥行方向に対して交差する方向）へ移動させて容器取付部８２に接近させる。
【０１５４】
さらに、図１８の二点鎖線及び実線に示されるように、収納容器６０の案内面１０８を容器取付部８２の交差面１８０に接触させながら収納容器６０を下方へ移動させる。そして、蓋部６８の第一円筒部７０の外周面７０ｂ（図１２参照）を、容器取付部８２の円弧面８４ｄ（図１７参照）に接触させること（載せること）で、図１８、図２８に示されるように、収納容器６０、５６０が仮置き位置へ配置される。
【０１５５】
収納容器６０が仮置き位置に配置された状態で、図５に示されるように、収納容器６０の目印１１２ａと、容器取付部８２の目印１７２ａとが装置奥行方向で対向する。さらに、この状態で、図２６（Ａ）に示されるように、蓋部６８の延長面７２ｄが、保持部２１６の突起２１６ａと接触し、保持部２１６は基端部を中心に撓み弾性変形する。
【０１５６】
また、図２０に示されるように、収納容器６０が仮置き位置に配置された状態で、壁面１６６ａに貼り付けられたスポンジ材１６８が、容器周方向で開閉部材７８と接触する。これにより、凹部１６６の壁面１６６ａ、及びスポンジ材１６８が、開閉部材７８の容器周方向の一方側への移動を規制している。
【０１５７】
また、解除突起１６２が、開閉部材７８に形成された貫通孔１４２に入り込み、蓋部６８の制限部９８を押し上げる。これにより、図２１の実線に示されるように、制限部９８が弾性変形して、開閉部材７８に形成された凸部１４０と制限部９８の凹部９８ａとの噛合いが解除される（図２１参照）。
【０１５８】
さらに、把持部７４を把持して、仮置き位置に配置された収納容器６０を容器周方向の一方側へ回転させると、図２６（Ｂ）に示されるように、突起２１６ａと延長面７２ｄとが容器周方向で離間し、保持部２１６が弾性復帰する。この状態で、保持部２１６の突起２１６ａが、蓋部６８の延長面７２ｄが形成されている部分を上方側から覆うことで、保持部２１６が、取付位置に配置された収納容器６０を保持する。
【０１５９】
また、仮置き位置に配置された収納容器６０を容器周方向の一方側へ回転させることで、図２５に示されるように、蓋部６８に形成された段部７２ｂの端面によって開閉部材１７４が容器周方向の一方側へ押され、開閉部材１７４が閉塞位置から開放位置へ移動する。さらに、図２０に示されるように、スポンジ材１６８及び壁面１６６ａによって、開閉部材７８の容器周方向の一方側への移動が規制されていることで、開閉部材７８が閉塞位置から開放位置へ移動する。これにより、図２５に示されるように、蓋部６８に形成された開口７２ｃと、容器取付部８２に形成された開口２０２とが対向する。
【０１６０】
そして、図示せぬストッパーによって収納容器６０の回転角度が規制され、収納容器６０が取付位置に配置される。収納容器６０が取付位置に配置された状態で、図４に示されるように、収納容器６０の目印１１２ａと、容器取付部８２の目印１７２ｂとが装置奥行方向で対向する。
【０１６１】
ここで、図２９に示されるように、比較形態に係る収納容器の取付構造５５２の収納容器５６０が取付位置に配置された状態で、蓋部５６８の接触面１０４は、容器取付部５８２の接触面１８２に対して容器径方向の内側から接触する。さらに、蓋部５６８の接触面１０２は、容器取付部５８２の接触面１８６に対して容器径方向の内側から接触する。また、蓋部５６８の接触面５０２は、容器取付部５８２の接触面５８４に対して容器径方向の内側から接触する。
【０１６２】
このように、比較形態に係る収納容器の取付構造５５２では、接触面１０４、１０２、５０２は、全て容器径方向の内側から容器取付部５８２の接触面１８２、１８６、５８２に接触している。これにより、収納容器５６０が、容器取付部５８２に位置決めされる。
【０１６３】
一方、図２３に示されるように、本実施形態に係る収納容器の取付構造５２の収納容器６０が取付位置に配置された状態で、蓋部６８の接触面１０４、１０２は、容器取付部８２の接触面１８２、１８６に対して容器径方向の内側から接触する。さらに、図２４に示されるように、蓋部６８の接触面１０６は、容器取付部８２の接触面１９６に対して容器径方向の外側から接触する。
【０１６４】
このように、本実施形態に係る収納容器の取付構造５２では、接触部１８４、１９２の二箇所で、収納容器６０が、容器径方向の内側から容器取付部８２に接触し、接触部１９８の一箇所で、容器径方向の外側から容器取付部８２に接触する。これにより、収納容器６０が、容器取付部８２に位置決めされる。
【０１６５】
さらに、収納容器６０が取付位置に配置されると、容器取付部８２の伝達部２１２（図１５参照）が円孔２１０から突出する。そして、伝達部２１２が、収納容器６０の伝達部８８（図８参照）と噛合う。これにより、図示せぬモータによって回転する伝達部２１２が回転力を伝達部８８に伝達される。
【０１６６】
さらに、図４に示す取付位置に配置された収納容器６０の収納部６２が容器周方向へ回転し、収納部６２の内部に収納されたトナーが、収納部６２の内周面６２ｃから突出した突起６６（図１２参照）によって押され、装置奥行方向の奥側から手前側へ移動する。そして、装置奥行方向の手前側へ移動してきたトナーが、図２５に示す蓋部６８に形成された開口７２ｃ、及び容器取付部８２に形成された開口２０２を通って、現像装置４０へ供給される。
【０１６７】
また、収納容器６０を、ユニット本体８０に形成された容器取付部８２から取り外す場合には、把持部７４を把持して、取付位置に配置されている収納容器６０を容器周方向の他方側へ回転させる。収納容器６０を容器周方向の他方側へ回転させると、図２６（Ａ）に示されるように、蓋部６８の延長面７２ｄが、保持部２１６の突起２１６ａと接触し、保持部２１６は基端部を中心に撓み弾性変形する。
【０１６８】
また、収納容器６０を容器周方向の他方側へ回転させても、図１９に示されるように、開閉部材７８は、防止部１６０によって容器周方向の他方側への移動が規制（防止）されている。このため、蓋部６８に形成された規制突起９６が、開閉部材７８の抑制板１５０を介して容器取付部８２の防止部１６０を押すことで、収納容器６０の回転角度が規制され、収納容器６０は仮置き位置へ移動する。
【０１６９】
さらに、仮置き位置に配置された収納容器６０を、図１８の二点鎖線及び実線に示されるように、収納容器６０の案内面１０８を容器取付部８２の交差面１８０に接触させながら収納容器６０を上方へ移動させることで、収納容器６０を容器取付部８２から取り外す。
【０１７０】
また、収納容器６０を仮置き位置から上方へ移動させることで、図２０に示す解除突起１６２が、蓋部６８の制限部９８から離間し、制限部９８が弾性復帰する。制限部９８が弾性復帰することで、図２１の二点鎖線に示されるように、制限部９８の凹部９８ａが、開閉部材７８の凸部１４０と噛合う。これにより、開閉部材７８の蓋部６８に対する移動が制限され、開閉部材７８が閉塞位置に配置された状態が維持される。
【０１７１】
（まとめ）
以上説明したように、収納容器の取付構造５２では、接触部１８４、１９２の二箇所で、収納容器６０が、容器径方向の内側から容器取付部８２に接触し、接触部１９８の一箇所で、容器径方向の外側から容器取付部８２に接触している。これにより、全ての接触部で、収納容器が容器径方向の内側から容器取付部に接触している収納容器の取付構造５５２と比して、容器径方向の外側及び内側への収納容器６０の移動が規制されることで、収納容器６０の容器取付部８２に対する位置決め精度が向上する。
【０１７２】
また、収納容器の取付構造５２では、蓋部６８の接触面１０６が容器取付部８２の接触面１９６に対して容器径方向の外側から接触している接触部１９８は、装置奥行方向から見て、蓋部６８の開口７２ｃと容器周方向で重ねっている。このため、全ての接触部が容器周方向で開口７２ｃと異なる位置に配置されている場合と比して、開口７２ｃの容器取付部８２に対する容器径方向の位置精度が向上する。
【０１７３】
また、収納容器の取付構造５２では、蓋部６８の接触面１０６が容器取付部８２の接触面１９６に対して容器径方向の外側から接触している接触部１９８は、装置奥行方向から見て、蓋部６８の開口７２ｃと容器周方向で重ねっている。開口７２ｃと容器周方向で重なっている接触部で、収納容器が容器径方向の内側から容器取付部に接触している場合と比して、開口７２ｃが容器取付部８２に対して離れるのが抑制される。
【０１７４】
また、収納容器の取付構造５２では、収納容器６０の蓋部６８には、容器取付部８２の交差面１８０と面接触して収納容器６０を仮置き位置へ案内する案内面１０８が形成されている。さらに、収納容器６０の蓋部６８には、収納容器６０が取付位置に配置された状態で、容器取付部８２の接触面１８２と接触する接触面１０４が形成されている（図１８、図２３参照）。そして、蓋部６８に形成された案内面１０８と接触面１０４とは隣接している。このため、案内面と接触面とが離間している場合と比して、案内面１０８と接触面１０４との相対位置精度が向上する。
【０１７５】
また、収納容器の取付構造５２では、容器取付部８２には、蓋部６８の案内面１０８と面接触して収納容器６０を仮置き位置へ案内する交差面１８０が形成されている。さらに、容器取付部８２には、収納容器６０が取付位置に配置された状態で、蓋部６８の接触面１０４と接触する接触面１８２が形成されている（図１８、図２３参照）。そして、容器取付部８２に形成された交差面１８０と接触面１８２とは隣接している。このため、交差面と接触面とが離間している場合と比して、交差面１８０と接触面１８２との相対位置精度が向上する。
【０１７６】
また、収納容器の取付構造５２では、収納容器６０は、収納容器６０における装置奥行方向の手前側の部分から、収納されたトナーを装置奥行方向に搬送するための回転力（動力）が容器取付部８２側から伝達される。そして、全ての接触部１８４、１９２、１９８は、収納容器６０における装置奥行方向の手前側の部分に配置されている。
【０１７７】
これにより、全ての接触部が、容器取付部から回転力が伝達される側に対して反対側の部分に配置されている場合と比して、収納容器６０における装置奥行方向の手前側の部分と、容器取付部８２との相対位置精度が向上する。そこで、全ての接触部が、容器取付部から回転力が伝達される側に対して反対側の部分に配置されている場合と比して、回転力の伝達経路がずれていることに起因して生じる、回転力の伝達不良の発生が抑制される。
【０１７８】
また、収納容器の取付構造５２では、位置決め機構１７０を構成する接触面１０６は、開閉部材７８を案内するガイド溝９２を構成している。これにより、ガイド溝と接触面とが別個に設けられる場合と比して、形状が簡素化される。さらに、位置決め機構１７０を構成する接触面１９６は、開閉部材１７４を案内するガイド溝２０４を構成している。これにより、ガイド溝と接触面とが別個に設けられる場合と比して、形状が簡素化される。
【０１７９】
また、画像形成ユニット１８では、全ての接触部で収納容器が、収納容器の径方向の内側から容器取付部に接触している場合と比して、収納容器の容器取付部に対する位置決め精度が向上することで、現像装置４０へのトナーの供給不良の発生が抑制される。
【０１８０】
また、画像形成装置１０では、全ての接触部で収納容器が、収納容器の径方向の内側から容器取付部に接触している場合と比して、収納容器６０の容器径方向の外側、及び内側への移動が抑制されることで、画像形成ユニット１８を装置本体１２に対して着脱させるときに、収納容器６０が容器取付部８２に対してずれるのが抑制される。
【０１８１】
また、画像形成装置１０では、全ての接触部で収納容器が、収納容器の径方向の内側から容器取付部に接触している場合と比して、現像装置４０へのトナーの供給不良の発生が抑制されることで、出力画像の品質不良の発生が抑制される。
【０１８２】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、接触部１８４、１９２、１９８は、三箇所設けられたが、四箇所以上であってもよい。
【０１８３】
また、上記実施形態では、容器径方向の外側から容器取付部８２に接触する接触部１９８は、装置奥行方向から見て、容器周方向で開口７２ｃと重なっていたが、容器径方向の内側から容器取付部８２に接触する接触部１８４、１９２が容器周方向で開口７２ｃと重なっていてもよい。これにより、開口７２ｃと容器取付部との距離が、設計の狙い値に対して短くなるのが抑制される。
【０１８４】
また、上記実施形態では、特に説明しなかったが、案内面１０８に上下方向に延びる凸部を形成させ、交差面１８０に凸部が上方方向に移動可能に挿入される凹部を形成させることで、収納容器６０を仮置き位置まで案内する精度を向上させてもよい。
【０１８５】
また、上記実施形態では、収納容器６０が容器径方向の内側から容器取付部８２に接触する接触部が二箇所設けられ、収納容器６０が容器径方向の外側から容器取付部８２に接触する接触部が一箇所設けられた。しかし、収納容器が容器径方向の内側から容器取付部に接触する接触部が一箇所設けられ、収納容器が容器径方向の外側から容器取付部に接触する接触部が二箇所設けられてもよい。
【０１８６】
また、上記実施形態では、蓋部６８に形成された案内面１０８と接触面１０４とは隣接していが、案内面と接触面とが離間していてもよい。しかし、この場合には、案内面１０８と接触面１０４とは隣接することで奏する作用は奏しない。
【０１８７】
また、上記実施形態では、容器取付部８２に形成された交差面１８０と接触面１８２とは隣接していたが、交差面と接触面とが離間していてもよい。しかし、この場合には、交差面１８０と接触面１８２とは隣接することで奏する作用は奏しない。
【符号の説明】
【０１８８】
１０  画像形成装置
１２  装置本体
１６  搬送部
１８  画像形成ユニット
３６  像保持体
４０  現像装置（現像部の一例）
５２  収納容器の取付構造
５８  容器本体
６０  収納容器
７２ｃ  開口
７８  開閉部材
８２  容器取付部
１０４  接触面
１０８  案内面
１８０  交差面
１８２  接触面（他の接触面の一例）
１８４  接触部
１９２  接触部
１９８  接触部
ＣＬ０１  中心線
Ｆ０１  容器周方向の一方側
Ｆ０２  容器周方向の他方側
【図１】
2020098278.tif 000003
【図２】
2020098278.tif 000004
【図３】
2020098278.tif 000005
【図４】
2020098278.tif 000006
【図５】
2020098278.tif 000007
【図６】
2020098278.tif 000008
【図７】
2020098278.tif 000009
【図８】
2020098278.tif 000010
【図９】
2020098278.tif 000011
【図１０】
2020098278.tif 000012
【図１１】
2020098278.tif 000013
【図１２】
2020098278.tif 000014
【図１３】
2020098278.tif 000015
【図１４】
2020098278.tif 000016
【図１５】
2020098278.tif 000017
【図１６】
2020098278.tif 000018
【図１７】
2020098278.tif 000019
【図１８】
2020098278.tif 000020
【図１９】
2020098278.tif 000021
【図２０】
2020098278.tif 000022
【図２１】
2020098278.tif 000023
【図２２】
2020098278.tif 000024
【図２３】
2020098278.tif 000025
【図２４】
2020098278.tif 000026
【図２５】
2020098278.tif 000027
【図２６】
2020098278.tif 000028
【図２７】
2020098278.tif 000029
【図２８】
2020098278.tif 000030
【図２９】
2020098278.tif 000031
【図３０】
2020098278.tif 000032